(57)【要約】【課題】組立てが容易であり種々のタイプの引き戸にも対応して利用することができ、かつ既存の引き戸にも後付けで装着することができる連動引き戸を提供する。【解決手段】開口部に摺動自在に取り付けられた複数枚の戸板を備えた連動引き戸。隣接する２枚の戸板の対向面には、突出部および受け部がそれぞれ設けられ、該突出部が磁性体からなる可動部材を有し、前記受け部が前記可動部材を吸引する磁石および当該可動部材と係合し得る凹部を有してなる。【選択図】図２
2005090216.tif 000002
【特許請求の範囲】
【請求項１】
開口部に摺動自在に取り付けられた複数枚の戸板を備えた連動引き戸であって、
隣接する２枚の戸板の対向面には、突出部および受け部がそれぞれ設けられ、
該突出部が磁性体からなる可動部材を有し、前記受け部が前記可動部材を吸引する磁石および当該可動部材と係合し得る凹部を有してなる連動引き戸。
【請求項２】
前記開口部の一部には、壁が設けられ、隣接する前記戸板および前記壁の対向面には、前記突出部および前記受け部がそれぞれ設けられてなる請求項１記載の連動引き戸。
【請求項３】
前記突出部が、ケースと、該ケースから出没できるように当該ケースに揺動自在に取り付けられた磁性体からなる可動舌片と、該可動舌片を前記ケース内部に収納する方向へ付勢する付勢手段とからなり、
前記受け部が、前記突出部の可動舌片と対向する面に当該可動舌片の先端と係合する前記凹部が形成されたケースと、当該ケース内部に収納された磁石とからなり、
前記受け部のケースに形成された凹部の内面には、当該凹部の内奥面から当該凹部の開口縁へ略直角に延びる直角段部が形成されてなる請求項１、２または３記載の連動引き戸。
【請求項４】
前記戸板の対向面に設けられた前記突出部が、当該戸板の幅方向に互いに離間するように２個配設されてなる請求項３記載の連動引き戸。
【請求項５】
前記突出部が、ケースと、該ケースに出没自在に内蔵された磁性体からなる可動ロッドと、該可動ロッドを前記ケース内部に収納する方向へ付勢する付勢手段とからなり、
前記受け部が、前記突出部の可動ロッドと対向する面に当該可動ロッドと係合する前記凹部が形成されたケースと、当該ケース内部に収納された磁石とからなり、
前記受け部のケースに形成された凹部の内面のうちの一方の側には、当該凹部の内奥面から当該凹部の開口縁へ延びる斜面が形成され、前記凹部の内面のうちの他方の側には、当該凹部の内奥面から当該凹部の開口縁へ略直角に延びる直角段部が形成されてなる請求項１または２記載の連動引き戸。
【請求項６】
前記戸板の対向面に設けられた前記受け部が、当該戸板の幅方向に互いに離間するように２個配設されてなる請求項５記載の連動引き戸。
【請求項７】
前記突出部が、ケースと、該ケースから出没できるように当該ケースに揺動自在に取り付けられた磁性体からなる可動舌片とからなり、
前記受け部が、前記突出部の可動舌片と対向する面に当該可動舌片の先端と係合する前記凹部が形成されたケースと、当該ケース内部に収納された磁石と、前記凹部内部に配設され、当該凹部内部に挿入される前記可動舌片の先端部を一時的に係止するための係止フックと、該係止フックに前記可動舌片を一時的に係止できる程度の係止力を付勢する付勢手段とからなる請求項１または２記載の連動引き戸。
【請求項８】
前記可動舌片の先端部が、部分的に折り返されてなる請求項７記載の連動引き戸。
【請求項９】
前記磁性体からなる可動部材の先端部に柔軟性を有する緩衝材が固着されてなる請求項１、２、３、４、５、６、７または８記載の連動引き戸。
【発明の詳細な説明】
【技術分野】
【０００１】
本発明は連動引き戸に関する。さらに詳しくは、組立てが容易であり、種々のタイプの引き戸にも対応して利用することができ、かつ既存の引き戸にも後付けで装着することができる連動引き戸に関する。
【背景技術】
【０００２】
連動引き戸は、たとえば、複数本のレールに吊り下げられ、該レール沿って摺動自在に取り付けられた複数枚の戸板を備えた引き戸であり、先頭にある１枚の戸板を閉じれば、隣接する他の戸板も連動して順次閉まることができ、一方、１枚の戸板を開ければ、他の戸板も順次開放することができる。
【０００３】
従来の連動引き戸は、隣接する２枚の戸板の対向面において、一方の戸板の下端付近に案内用のＬ字形のガイドピースが突設され、該Ｌ字形ガイドピースの先端が隣接する他方の戸板の下端縁に形成された溝に挿入され、該溝によって一方の戸板は隣接する他方の戸板に対して平行に摺動することができる。また、前記溝の端部には、ゴム製のエンドストッパが配設されており、該エンドストッパがＬ字形ガイドピースの先端を保持することによって、隣接する２枚の戸板が連結されるとともに戸板を閉じた状態にガタつきなく保持することができる。
【発明の開示】
【発明が解決しようとする課題】
【０００４】
しかし、従来の連動引き戸の場合、Ｌ字形ガイドピースの先端を案内するための溝を戸板の下端面に形成し、さらに引き戸を閉じた状態に保持するためのエンドストッパを取り付ける必要がある。そのため、戸板の加工に手間がかかるとともに高い加工精度が要求され、その結果、引き戸の組立てが困難である。
【０００５】
また、従来の連動引き戸は、吊り戸タイプの引き戸のみに対応して利用できるにすぎないため、敷居と鴨居とのあいだで摺動する引き戸には適用することができず、利用範囲が狭いという問題がある。
【０００６】
さらに、従来の連動引き戸は、戸板をレールに取り付けたのちでは、戸板間を連結するための金具を後付けで装着することができないという問題がある。
【０００７】
本発明はかかる問題を解消するためになされたものであり、組立てが容易であり、種々のタイプの引き戸にも対応して利用することができ、かつ既存の引き戸にも後付けで装着することができる連動引き戸を提供することを目的とする。
【課題を解決するための手段】
【０００８】
本発明の連動引き戸は、開口部に摺動自在に取り付けられた複数枚の戸板を備えた連動引き戸であって、
隣接する２枚の戸板の対向面には、突出部および受け部がそれぞれ設けられ、
該突出部が磁性体からなる可動部材を有し、前記受け部が前記可動部材を吸引する磁石および当該可動部材と係合し得る凹部を有してなることを特徴とする。
【０００９】
前記開口部の一部には、壁が設けられ、隣接する前記戸板および前記壁の対向面には、前記突出部および前記受け部がそれぞれ設けられてなるのが好ましい。
【００１０】
前記突出部が、ケースと、該ケースから出没できるように当該ケースに揺動自在に取り付けられた磁性体からなる可動舌片と、該可動舌片を前記ケース内部に収納する方向へ付勢する付勢手段とからなり、
前記受け部が、前記突出部の可動舌片と対向する面に当該可動舌片の先端と係合する前記凹部が形成されたケースと、当該ケース内部に収納された磁石とからなり、
前記受け部のケースに形成された凹部の内面には、当該凹部の内奥面から当該凹部の開口縁へ略直角に延びる直角段部が形成されてなるのが好ましい。
【００１１】
前記戸板の対向面に設けられた前記突出部が、当該戸板の幅方向に互いに離間するように２個配設されてなるのが好ましい。
【００１２】
前記突出部が、ケースと、該ケースに出没自在に内蔵された磁性体からなる可動ロッドと、該可動ロッドを前記ケース内部に収納する方向へ付勢する付勢手段とからなり、
前記受け部が、前記突出部の可動ロッドと対向する面に当該可動ロッドと係合する前記凹部が形成されたケースと、当該ケース内部に収納された磁石とからなり、
前記受け部のケースに形成された凹部の内面のうちの一方の側には、当該凹部の内奥面から当該凹部の開口縁へ延びる斜面が形成され、前記凹部の内面のうちの他方の側には、当該凹部の内奥面から当該凹部の開口縁へ略直角に延びる直角段部が形成されてなるのが好ましい。
【００１３】
前記戸板の対向面に設けられた前記受け部が、当該戸板の幅方向に互いに離間するように２個配設されてなるのが好ましい。
【００１４】
前記突出部が、ケースと、該ケースから出没できるように当該ケースに揺動自在に取り付けられた磁性体からなる可動舌片とからなり、
前記受け部が、前記突出部の可動舌片と対向する面に当該可動舌片の先端と係合する前記凹部が形成されたケースと、当該ケース内部に収納された磁石と、前記凹部内部に配設され、当該凹部内部に挿入される前記可動舌片の先端部を一時的に係止するための係止フックと、該係止フックに前記可動舌片を一時的に係止できる程度の係止力を付勢する付勢手段とからなるのが好ましい。
【００１５】
前記可動舌片の先端部が、部分的に折り返されてなるのが好ましい。
【００１６】
前記磁性体からなる可動部材の先端部に柔軟性を有する緩衝材が固着されてなるのが好ましい。
【発明の効果】
【００１７】
本発明によれば、突出部および受け部が複数の戸板の対向面に取り付けられているため、組立てが容易である。また、本発明の連動引き戸は、敷居と鴨居とのあいだで摺動する引き戸だけでなく、吊り戸タイプの引き戸などにも対応して利用でき、種々のタイプの引き戸にも対応して利用することができる。しかも、戸板の対向面に突出部および受け部を後付けで容易に装着することができる。
【００１８】
さらに、受け部に係止フックを設ければ、突出部の可動舌片の先端部を一時的に係止することができ、それにより、隣接する２枚の戸板同士を連結する力を強くすることができ、戸板を１枚づつ順次閉める動作を確実に行なうことができ、また、引き戸を全閉状態に確実に保持することができる。
【００１９】
また、吐出部の磁性体からなる可動部材の先端部に柔軟性を有する緩衝材を固着すれば、突出部と受け部とが連結するときなどの騒音を発生することができ、夜間における引き戸の開閉と静かに行なうことができる。
【発明を実施するための最良の形態】
【００２０】
つぎに図面を参照しながら本発明の連動引き戸を詳細に説明する。図１は本発明の連動引き戸の一実施の形態を示す斜視説明図、図２は図１の連動引き戸の全閉状態における突出部および受け部の配置を簡略的に示す水平断面図、図３は図１の連動引き戸を全開した状態を簡略的に示す水平断面図、図４は図１の戸板の拡大斜視図、図５は図４の突出部の平面図、図６は図５のVI−VI線断面図、図７は本発明の他の実施の形態である緩衝材を有する可動舌片の一部切欠正面図、図８は図７の可動舌片の縦断面図、図９は図４の受け部の平面図、図１０は図９のＸ−Ｘ線断面図、図１１は本発明の他の実施の形態である連動引き戸の全閉状態における突出部および受け部の配置を簡略的に示す水平断面図、図１２は図１１の連動引き戸を全開した状態を簡略的に示す水平断面図、図１３は図１１の突出部の断面説明図、図１４は本発明のさらに他の実施の形態である緩衝材を有する可動ロッドの一部切欠正面図、図１５は図１１の受け部の平面図、図１６は図１５の受け部のXVI−XVI線断面図、図１７は本発明のさらに他の実施の形態である連動引き戸の全閉状態における突出部および受け部の配置を簡略的に示す水平断面図、図１８は図１７の連動引き戸を全開した状態を簡略的に示す水平断面図、図１９は図１７の突出部の平面図、図２０は図１９のXX−XX線断面図、図２１は図１７の受け部の平面図および図２２は図２１のXXII−XXII線断面図である。
【００２１】
図１〜４に示される連動引き戸は、いわゆる３本引きタイプの連動引き戸であり、２本の柱Ｐ１、Ｐ２によって囲まれ、壁Ｗを有する戸口において、柱Ｐ１、Ｐ２とのあいだの開口部の上下両端において鴨居Ｔおよび敷居Ｂが設けられ、敷居Ｂ上を複数の戸板１、２、３が摺動自在に取り付けられている。戸板１、２、３の上下両端に設けられた突条が、鴨居Ｔおよび敷居Ｂにそれぞれ形成された溝Ｇ１、Ｇ２に摺動自在に差し込まれている。また、戸板１、２、３が敷居Ｂ上を滑らかに摺動し得るように、各戸板の下端面に戸車を設けるようにしてもよい。図１〜４では、複数の戸板を示すために、戸板の幅および高さを小さめに描いている。なお、本実施の形態のように鴨居および敷居を設ける代わりに、天井面などに複数本のレールを固着し、該レールに戸板を摺動自在に吊り下げてもよい。
【００２２】
突出部１１は、図２〜４に示されるように、戸板２、３の対向面の下部であって両側（図２における左右両側）の端部付近にそれぞれ１個ずつ設けられ、さらに、壁Ｗの対向面の下部であって、当該戸板が閉まる方向の側（壁Ｗの、図２における右側）の端部付近に、それぞれ設けられている。
【００２３】
また、受け部１２は、図２〜４に示されるように、戸板１、２、３の対向面の下部であって、当該戸板が開く方向の側（図２における左側（柱Ｐ１に近い側））の端部付近にそれぞれ設けられている。
【００２４】
なお、前記突出部１１および受け部１２の位置は、戸板の下部に限定されるものではなく、たとえば戸板の中央付近に設けることもできる。
【００２５】
本実施の形態では、図２に示されるように、１枚の戸板について戸板の幅方向に互いに離間するように２個の突出部（たとえば、戸板２における閉位置保持用突出部１１ａおよび開位置保持用突出部１１ｄ）が配設されている例をあげて説明したが、本発明はこれに限定されるものではなく、閉位置保持用突出部１１ａ、１１ｂ、１１ｃのみを配置してもよい。
【００２６】
本実施の形態の連動引き戸は、図４〜１０に示される揺動自在の磁性体からなる可動舌片を有する突出部１１、および該可動舌片に係合し得る凹部を有する受け部１２を備えている。
【００２７】
図５〜６に示される突出部１１は、ケース１３と、該ケース１３から出没できるように当該ケース１３に揺動自在に取り付けられた鉄などの磁性体からなる可動舌片１４と、該可動舌片１４をケース１３内部に収納する方向へ付勢する付勢手段である圧縮コイルばね１５とから構成されている。
【００２８】
可動舌片１４は、Ｌ字状に曲げられた鉄などの磁性材料で作製された金属薄板からなる。可動舌片１４の折曲部の内側は、ケース１３の裏蓋１６の内側突出部１６ａに当接しており、それにより、可動舌片１４は、内側突出部１６ａの先端部を回転中心として揺動することができる。また、ケース１３の内部に延びる可動舌片１４の短辺１４ｂは、圧縮コイルばね１５によって押圧付勢されており、当該可動舌片１４は、その長辺１４ｃがケース１３内部に収納される方向へ付勢されている。
【００２９】
また、可動舌片１４の短辺１４ｂの幅は、ケース１３の開口１３ａの幅より広くなるように設定されているため、可動舌片１４は開口１３ａから脱落することがない。
【００３０】
また、本発明の他の実施の形態では、図７〜８に示されるように、磁性体からなる可動舌片１４の先端部１４ｄに、柔軟性を有する緩衝部材２１が固着されているため、可動舌片１４が受け部１２の磁石１９に吸引されて当該受け部１２の凹部１７に係合するとき、および可動舌片１４が圧縮コイルバネ１５の付勢力によってケース１３内部に戻るときなどにおける騒音の発生を防止することができる。
【００３１】
緩衝部材２１は、可動舌片１４の先端部１４ｄの全体を覆うように、天然ゴム、合成ゴム、または合成樹脂などでモールド成形することにより、作製されている。なお、図７においては、可動舌片１４の先端部１４ｄを見やすくするために、緩衝部材２１の表面部分は一部切り欠かれている。
【００３２】
図７〜８に示されるように、可動舌片１４の先端部１４ｄは、部分的に幅が狭くなっているとともに厚さも薄くなっているため、先端部１４ｄに充分な厚さの緩衝部材２１をモールド成形することができ、しかも緩衝部材２１が可動舌片１４の表面からあまり突出しない。
【００３３】
さらに、可動舌片１４の先端部１４ｄには、貫通孔１４ｅが形成されているため、先端部１４ｄを覆う緩衝部材２１の一部が貫通孔１４ｅの内部に入りこんでいる。そのため、緩衝部材２１が先端部１４ｄから脱落するのを防止することができる。貫通孔１４ｅは、図７〜８に示されるように１個でもよいし、複数個形成してもよい。さらに、貫通孔の代わりにスリットを形成しても、緩衝部材２１の抜け止めの効果を得ることができる。
【００３４】
また、可動舌片１４の先端部１４ｄに切欠き１４ｆが形成されているため、緩衝部材２１の一部が切欠き１４ｆ内部に入り込むことによって緩衝部材２１の脱落を防止することができ、しかも、先端部１４ｄの前方（図７〜８における右側）に形成される緩衝部材２１の厚さを厚くすることができ、衝撃緩衝効果が高い。なお、前述のように、モールド成形により可動舌片１４の先端部に設ける以外に、別体にて作製した緩衝部材を接着などにより可動舌片に固着することもできる。
【００３５】
図２に示される突出部１１（具体的には、閉位置保持用の突出部１１ａ、１１ｂ、および開位置保持用の突出部１１ｄ、１１ｅ）は、戸板２、３の対向面の下部であって、当該戸板２、３の両側（図２における左右両側）の端部付近にそれぞれ１個ずつ設けられている。戸板２、３の両側の突出部１１は、それぞれの可動舌片１４の先端１４ａが互いに向き合うような向きに取り付けられている。
【００３６】
また、壁Ｗに取り付けられた閉位置保持用の突出部１１ｃは、その可動舌片１４の先端１４ａが他の閉位置保持用の突出部１１ａ、１１ｂの先端１４ａと同じ向きを向くように取り付けられている。
【００３７】
また、受け部１２は、図９〜１０に示されるように、前記突出部１１の可動舌片１４と対向する面に当該可動舌片１４の長辺１４ｃの先端１４ａと係合する凹部１７が形成されたケース１８と、当該ケース１８内部に収納された磁石１９とから構成されている。
【００３８】
受け部１２のケース１８に形成された凹部１７の内面には、当該凹部１７の内奥面１７ａから当該凹部１７の開口縁１７ｂへ略直角に延びる一対の直角段部２０が形成されている。受け部１２は、戸板１、２、３の対向面の下部であって戸板が開く方向の側（図２における左側（柱Ｐ１に近い側））の端部付近に、それぞれ設けられている。
【００３９】
また、受け部１２の凹部１７の奥底面は、山形に盛り上がり、磁石１９が凹部１７内に近づけて配置されているため、可動舌片１４が磁石１９に吸引されやすい。
【００４０】
図２に示されるように、突出部１１と受け部１２とが近接した位置にあるときには、前記受け部１２の磁石１９の磁力により突出部１１の可動舌片１４が揺動して斜方に突出し、当該可動舌片１４の先端１４ａが前記凹部１７内部の一方の直角段部２０に係合することにより、突出部１１と受け部１２とが係合される。
【００４１】
また、突出部１１と受け部１２とが離れるときには、可動舌片１４は、前記磁石１９の磁力の作用を受けなくなり、前記圧縮コイルばね１５の付勢力により、突出部１１のケース１１内部に戻って突出部１１と受け部１２との係合が解除される。このとき、他方の直角段部２０の上端縁が可動舌片１４の外面を外方へ押圧することにより、突出部１１と受け部１２との係合が円滑に解除される。
【００４２】
突出部１１および受け部１２は、隣接する２枚の戸板１、２および２、３のそれぞれの対向面、および隣接する戸板３および壁Ｗの対向面において、当該対向面を座ぐり加工などにより形成された凹所に埋め込まれ、ネジ止めなどにより固着されるため、取り付けが容易である。また、敷居と鴨居とのあいだで摺動する引き戸だけでなく、吊り戸タイプなどの種々の形態の引き戸に対応して利用することができる。しかも、戸板の対向面に突出部および受け部を後付けで容易に装着することができる。
【００４３】
本実施の形態の突出部１１および受け部１２は、図２に示されるように、戸板１、２、３のそれぞれの対向面に取り付けられる。それにより、図３に示される全開状態、すなわち戸板１、２、３が柱Ｐ１に沿って重なり合った状態から先頭の戸板１を閉めるだけで、まず最初に開位置保持用の突出部１１ｄと受け部１２の係合が解除され、ついで戸板２に設けられた閉位置保持用の突出部１１ａの可動舌片１４の先端１４ａが受け部１２の前記磁石１９の吸引力により突出し、受け部１２の前記凹部１７内面の直角段部２０に係合することにより、戸板１と戸板２とが連結される。ついで、戸板１および戸板２を一体にして柱Ｐ２方向へ引っ張って閉めれば、前述と同様に戸板２と戸板３とのあいだが、戸板３の閉位置保持用の突出部１１ｂの可動舌片１４が戸板２の受け部１２に係合することによって、連結される。
【００４４】
さらに、戸板１、２、３を一体にして柱Ｐ２方向へ引っ張って閉めれば、最終的に戸板３と壁Ｗとのあいだが、壁Ｗの閉位置保持用の突出部１１ｃの可動舌片１４が戸板３の受け部１２に係合することによって、連結される。したがって、突出部１１（すなわち、図２における閉位置保持用の突出部１１ａ、１１ｂ、１１ｃ）および受け部１２によって、図２に示されるように、戸板１、２、３が全閉状態に保持される。なお、図示していないが、戸板１の表面に引き手を形成しておくと、戸の開閉を容易に行なうことができる。
【００４５】
引き戸を開ける場合、図２に示される全閉状態から先頭の戸板１を開ければ、閉位置保持用の突出部１１ａと受け部１２の係合が解除される。このとき、可動舌片１４は受け部１２の磁石１９からの磁力を受けなくなり、前記圧縮コイルばね１５の付勢力によって可動舌片１４が突出部１１のケース１３内へ揺動して収納される。その結果、戸板１と戸板２とのあいだの連結が解除される。
【００４６】
そののち、戸板１は戸板２と非接触の状態で抵抗なく静かに摺動したのち、戸板１と戸板２とがほぼ完全に重なったときに、開位置保持用の突出部１１ｄの可動舌片１４が戸板１に設けられた受け部１２の前記磁石１９の吸引力により突出し、受け部１２の前記凹部１７内面の直角段部２０に係合することにより、戸板１と戸板２とが重なり合って連結される。
【００４７】
ついで、戸板１および戸板２を一体にして柱Ｐ１方向へ引っ張って開ければ、戸板２と戸板３とのあいだが、開位置保持用の突出部１１ｅの可動舌片１４が戸板２に設けられた受け部１２に係合することによって、重なった状態で連結される。さらに、戸板１、２、３を一体に重なった状態で柱Ｐ１方向へ引っ張って開ければ、戸板３の受け部１２と壁Ｗの突出部１１ｃの係合が解除され、壁Ｗの突出部１１ｃの可動舌片１４は前記圧縮コイルばね１５の付勢力によって突出部１１ｃのケース１３内部に引っ込み、最終的に図３に示されるように、壁Ｗに沿って、戸板１、２、３が重なった状態で全開状態に保持される。
【００４８】
以上のように、戸板１、２、３を開閉するとき、突出部１１が受け部１２の磁石１９の磁力の影響を受けない距離まで移動したときに、可動舌片１４は圧縮コイルばね１５の付勢力により、ケース１３内部に収納されるため、戸板１、２、３を抵抗なく静かに摺動させて開閉させることができる。
【００４９】
図１〜１０に示される実施の形態では、揺動自在の磁性体からなる可動舌片を有する突出部１１、および該可動舌片に係合し得る凹部を有する受け部１２を備えた引き戸を例にあげて説明したが、本発明の突出部および受け部は、隣接する２枚の戸板の対向面にそれぞれ設けられ、該突出部が磁性体からなる可動部材を有し、前記受け部が前記可動部材を吸引する磁石および当該可動部材と係合し得る凹部を有していれば、前述と同様の作用を奏することができ、本発明は種々の態様を採用することができる。
【００５０】
本発明の他の実施の形態である図１１〜１６に示された連動引き戸は、複数枚の戸板１、２、３のうち、隣接する２枚の戸板１と２との組および戸板２と３との組の対向面には、可動ロッド３１が出没する突出部２８、および該可動ロッド３１に係合する凹部を有する受け部２９（具体的には、５個の受け部２９ａ〜２９ｅ）がそれぞれ設けられている。
【００５１】
本実施の形態の突出部２８は、図１３に示されるように、ケース３０と、該ケース３０の開口３０ａを通して出没自在に内蔵された鉄などの磁性体からなる可動ロッド３１と、該可動ロッド３１をケース内部に収納する方向へ付勢する付勢手段である圧縮コイルばね３２とから構成されている。圧縮コイルばね３２は、可動ロッド３１の周囲に配設され、ケース３０の開口３０ａ周辺の段部３０ｂと可動ロッド３１の奥側部に形成されたつば部３１ａとのあいだで保持されている。可動ロッド３１が開口３０ａから突出するとき、圧縮コイルばね３２は、前記段部３０ｂとつば部３１ａとのあいだで圧縮され、可動ロッド３１に対してケース３０内部に引っ込める方向へ付勢力を与える。また、可動ロッド３１は、前記つば部３１ａを有しているため、ケース３０の開口３０ａから脱落することがない。
【００５２】
可動ロッド３１および圧縮コイルばね３２は、ケース３０の開口３０ａとは反対側にあり、当該開口３０ａよりも大きい挿入口３０ｃからケース３０内部に挿入されている。挿入口３０ｃには、蓋３３が嵌合されている。
【００５３】
また、本発明のさらに他の実施の形態では、図１４に示されるように、磁性体からなる可動ロッド３１の先端部に、柔軟性を有する緩衝部材４１が固着されているため、可動ロッド３１が受け部２９の磁石３５に吸引されて当該受け部２９の凹部３６に係合するときなどにおける騒音の発生を防止することができる。
【００５４】
緩衝部材４１は、可動ロッド３１の先端部の全体を覆うように、天然ゴム、合成ゴム、または合成樹脂などでモールド成形することにより、作製されている。なお、図１４において、可動ロッド３１の先端部を見やすくするために、緩衝部材４１の表面部分は一部切り欠かれている。
【００５５】
図１４に示されるように、可動ロッド３１の先端部は、部分的に直径が小さくなっているため、先端部に充分な厚さの緩衝部材４１をモールド成形することができ、しかも緩衝部材４１が可動ロッド３１の表面からあまり突出しない。
【００５６】
さらに、可動ロッド３１の先端部には、円環状の溝３１ｂが形成されているため、先端部を覆う緩衝部材４１の一部が円環状の溝３１ｂの内部に入りこんでいる。そのため、緩衝部材４１が先端部から脱落するのを防止することができる。円環状の溝３１ｂは、図１４に示されるように１本でもよいし、複数本形成してもよい。さらに、本発明では、円環状の溝に限定されることなく、少なくとも１個の凹部および／または凸部を形成しても、緩衝部材４１の抜け止めの効果を得ることができる。なお、緩衝部材は、前述のように、モールド成形により可動ロッド３１の先端部に設ける以外に、別途作製した緩衝部材を接着などにより可動ロッドに固着することもできる。
【００５７】
受け部２９は、図１５〜１６に示されるように、前記突出部２８の可動ロッド３１と対向する面に可動ロッド３１の先端と係合する凹部３６が形成されたケース３４と、当該ケース３４内部に収納された磁石３５とから構成されている。磁石３５はケース３４の側面に形成された挿入穴から挿入してもよいし、磁石３５を内蔵した状態でケース３４を合成樹脂などによって一体成形してもよい。
【００５８】
凹部３６の内面のうちの一方の側には、当該凹部３６の内奥面３６ａから当該凹部３６の開口縁３６ｂへ延びる斜面３７が形成されている。凹部３６の内面のうちの他方の側には、当該凹部３６の内奥面３６ａから当該凹部３６の開口縁３６ｂへ略直角に延びる直角段部３８が形成されている。
【００５９】
斜面３７の角度は、本発明ではとくに限定されるものではないが、可動ロッド３１が開口縁３６ｂに引っ掛からない程度の角度（たとえば２５°程度）に規定されるのが好ましい。
【００６０】
本実施の形態では、図１１〜１２に示されるように、前記直角段部３８が戸板２、３および壁Ｗの両端部に近い位置に配置され、前記斜面３７が該両端部に遠い位置に配置されるように、受け部２９（具体的には、図１１〜１２に示される閉位置保持用の受け部２９ａ、２９ｂ、２９ｃおよび開位置保持用の受け部２９ｄ、２９ｅ）が戸板２、３および壁Ｗの対向面に取り付けられているため、後述するように、戸板１、２、３は、全閉および全開時において、突出部２８および受け部２９によって互いに連結される。
【００６１】
突出部２８および受け部２９も、前記実施の形態で示された突出部１１および受け部１２と同様に、戸板１、２、３および壁Ｗの対向面に取り付けられるため、取り付けが容易である。また、敷居と鴨居とのあいだで摺動する引き戸だけでなく、吊り戸タイプなどの種々の形態の引き戸に対応して利用することができる。しかも、戸板の対向面に突出部および受け部を後付けで容易に装着することができる。
【００６２】
以上のように構成された本実施の形態の引き戸を閉める場合、図１２に示される状態において、先頭側の戸板１を柱Ｐ２方向へ閉めれば、戸板１は、まず最初に突出部２８と受け部２９ｄの係合が解除され、ついで戸板２と非接触の状態で抵抗なく静かに摺動することができる。そののち、戸板１のほぼ全幅が出たときに、戸板１に設けられた突出部２８の可動ロッド３１は、戸板２に設けられた閉位置保持用の受け部２９ａに内蔵された前記磁石３５の磁力によって、可動ロッド３１に付勢する圧縮コイルばね３２による復元力に抗しながら突出する。可動ロッド３１は、受け部２９ａの前記斜面３７に案内されながら円滑に凹部３６に挿入され、前記直角段部３８に係合する。その結果、戸板１と戸板２とが連結され、戸板１が戸板２から完全に抜けて単独で摺動することがない。
【００６３】
ついで、戸板１および戸板２を一体にして柱Ｐ２方向へ引っ張って閉めれば、前述と同様に戸板２と戸板３とのあいだが、戸板２の突出部の可動ロッド３１が戸板３の閉位置保持用の受け部２９ｂに係合することによって、連結される。さらに、戸板１、２、３を一体にして柱Ｐ２方向へ引っ張って閉めれば、最終的に戸板３と壁Ｗとのあいだが、戸板３の突出部２８の可動ロッド３１が壁Ｗの閉位置保持用の受け部２９ｃに係合することによって、連結される。したがって、突出部２８および受け部２９（すなわち、図１１における閉位置保持用の受け部２９ａ、２９ｂ、２９ｃ）によって、図９に示されるように、戸板１、２、３が全閉状態に保持される。なお、図示していないが、戸板１の表面に引き手を形成しておくと、戸の開閉を容易に行なうことができる。
【００６４】
一方、引き戸を開ける場合、図１１に示される状態において、先頭側の戸板１を手で柱Ｐ１方向へ引っ張って開ければ、最初に、戸板１側の突出部２８の可動ロッド３１が戸板２側の閉位置保持用の受け部２９ａの凹部３６の斜面３７に案内されながら当該凹部３６から抜け出る。このとき、可動ロッド３１は受け部２９ａの磁石３５からの磁力を受けなくなり、前記圧縮コイルばね３２の付勢力によって可動ロッド３１が突出部２８のケース３０内部に引っ込む。その結果、戸板１と戸板２とのあいだの連結が解除される。
【００６５】
そののち、戸板１は戸板２と非接触の状態で抵抗なく静かに摺動したのち、戸板１と戸板２とがほぼ完全に重なったときに、戸板１の可動ロッド３１が、戸板２に設けられた開位置保持用の受け部２９ｄに内蔵された前記磁石３５の磁力によって突出する。可動ロッド３１は、当該受け部２９ｄの前記斜面３７に案内されながら円滑に凹部３６に挿入され、前記直角段部３８に係合し、戸板１と戸板２とが重なった状態で連結される。
【００６６】
ついで、戸板１および戸板２を一体にして柱Ｐ１方向へ引っ張って開ければ、前述と同様に戸板２と戸板３とのあいだが、戸板２の突出部２８の可動ロッド３１が戸板３の開位置保持用の受け部２９ｅに係合することによって、重なった状態で連結される。さらに、戸板１、２、３を一体に重なった状態で柱Ｐ１方向へ引っ張って開ければ、戸板３の突出部２８と壁Ｗの受け部２９ｃの係合が解除され、戸板３の可動ロッド３１は前記圧縮コイルばね３２の付勢力によって突出部２８のケース３０内部に引っ込み、最終的に図１２に示されるように、壁Ｗに沿って、戸板１、２、３が重なった状態で全開状態に保持される。
【００６７】
以上の実施の形態では、突出部の可動舌片または可動ロッドが受け部の凹部と係合するが、凹部の内部についてより詳細に見れば、たとえば可動舌片の先端部は凹部内面の直角段部に当接しているだけであり、当該直角段部と連結されていない。したがって、隣接する２枚の戸板同士を連結する力が弱く、戸板を１枚づつ順次開けたり、反対に順次閉める動作を確実に行なうことができず、また、引き戸を全閉状態に確実に保持することができない。
【００６８】
そこで、本発明のさらに他の実施の形態として、図１７〜２２に示されるように、突出部５１の可動舌片５４の先端部５５を受け部５２の係止フック６０で一時的に係止することにより、隣接する２枚の戸板を連結する力を強くしてもよい。具体的には、突出部５１および受け部５２は以下のように構成される。
【００６９】
図１９〜２０に示される突出部５１は、ケース５３と、該ケース５３から出没できるように当該ケース５３に揺動自在に取り付けられた鉄などの磁性体からなる可動舌片５４とから構成されている。突出部５１は、図２０に示されるように、全体の厚さが薄くなるように作製されているので、図１７〜１８に示されるように、突出部５１を戸板および壁の表面に大きく突出させずに取り付けることができる。
【００７０】
可動舌片５４は、鉄などの磁性材料で作製された金属薄板からなる。可動舌片５４の先端部５５は、部分的に折り返されることにより裏側に突出しているため、係止フック６０に確実に係止され得る。なお、可動舌片５４の先端部５５を折り返す代わりに、可動舌片５４の先端部５５に係止フック６０の爪部６０ａと係合される係合孔または係合凹部を形成したり、または可動舌片５４の先端部の裏側に別体の係止ブロックを固着してもよい。たとえば、別体の係止ブロックとして、柔軟性を有する緩衝部材を可動舌片５４の先端部５５の裏側に固着させれば、可動舌片５４がケース５３内側に戻るときに騒音が発生しない。
【００７１】
また、図示されていないが、磁性体からなる可動舌片５４の先端部５５の全体に、合成樹脂などでモールド成形することにより柔軟性を有する緩衝部材を固着すれば、可動舌片５４が受け部５２の磁石５９に吸引されて当該受け部５２の凹部５７に係合するとき、可動舌片５４がケース５３内部に戻るとき、および可動舌片５４の先端部５５が係止フック６０に係止するときなどにおける騒音の発生を防止することができる。
【００７２】
また、可動舌片５４の部分５４ａの幅Ｘ1は、ケース５３の開口５３ａの幅Ｘ2より広くなるように設定されているため、可動舌片５４は開口５３ａから脱落することがない。
【００７３】
図１７に示される突出部５１（具体的には、閉位置保持用の突出部５１ａ、５１ｂ）は、戸板２、３の対向面の下部に取り付けられている。
【００７４】
また、壁Ｗに取り付けられた閉位置保持用の突出部５１ｃは、その可動舌片５４の先端部５５が他の閉位置保持用の突出部５１ａ、５１ｂの先端部５５と同じ向きを向くように取り付けられている。
【００７５】
また、受け部５２は、図２１〜２２に示されるように、前記突出部５１の可動舌片５４と対向する面に当該可動舌片５４の先端部５５と係合する凹部５７が形成されたケース５８と、当該ケース５８内部に収納された磁石５９と、前記凹部５７内部に配設され、当該凹部５７内部に挿入される前記可動舌片５４の先端部５５を一時的に係止するための係止フック６０と、該係止フック６０に前記可動舌片５４を一時的に係止できる程度の係止力を付勢する付勢手段である圧縮コイルバネ６１とから構成されている。
【００７６】
磁石５９はケース５８の底面に形成された２個の挿入穴５８ａに挿入され、裏蓋６２によって封止されている。または、磁石５９を内蔵した状態でケース５８を合成樹脂などによって一体成形してもよい。
【００７７】
凹部５７の内面のうちの一方の側には、当該凹部５７の内奥面５７ａから当該凹部５７の開口縁５７ｂへ延びる斜面６３が形成されている。斜面６３の角度は、本発明においてはとくに限定されるものではないが、可動舌片５４が開口縁５７ｂに引っ掛からない程度の角度、たとえば２５°程度に規定されるのが好ましい。
【００７８】
凹部５７の内面のうちの他方の側には、係止フック６０が、ケース５８の厚さ方向（図２２において、上下方向）に往復移動できるように配設されている。
【００７９】
具体的には、図２２に示される係止フック６０は、可動舌片５４の先端部５５に係止する爪部６０ａと、当該爪部６０ａと結合され、凹部５７の内奥面５７ａに対して略直角方向に延び、前記可動舌片５４の先端部５５に当接する当接部６０ｂと、該当接部６０ｂと結合され、裏蓋６２と平行に延び、前記圧縮コイルバネ６１を受ける受け座６０ｃとから構成されている。圧縮コイルバネ６１は、ケース５８の取付穴５８ｂに収容され、受け座６０ｃの凹部６０ｄと取付け穴５８ｂの内奥面５８ｃとのあいだで圧縮されている。また、内奥面５８ｃには、半球状の突起５８ｄが突設されているため、圧縮コイルバネ６１の一端を係止することができる。
【００８０】
本実施の形態の係止フック６０は、圧縮コイルバネ６１とともにケース５８の裏側から挿入され、ついで、係止フック６０の当接部６０ｂに当接するように、スペーサ６４を裏側から挿入することにより、係止フック６０を往復移動自在に位置決めすることができる。
【００８１】
突出部５１と受け部５２とが近接した位置にあるときには、前記受け部５２の磁石５９の磁力により突出部５１の可動舌片５４が揺動して斜方に突出し、当該可動舌片５４の先端部５５が斜面６０に沿って移動したのち前記凹部５７内部の係止フック６０に一時的に係止され、それにより、隣接する２枚の戸板同士、または戸板と壁とのあいだの連結する力を強くすることができる。そのため、戸板を１枚づつ順次閉める動作を確実に行なうことができ、また、引き戸を全閉状態に確実に保持することができる。
【００８２】
図１７に示されるように、可動舌片５４の先端部５５が係止フック６０に係止されたとき、突出部５１のケース５３と受け部５２のケース５８とが当接する。また、このとき、受け部５２の係止フック６０は、若干もち上がるが、突出部５１のケース５３の開口５３ａ（図２０参照）内部に入るため、係止フック６０の往復移動を支障なく行なうことができる。
【００８３】
また、突出部５１と受け部５２とが離れるときには、まず、可動舌片５４の先端部５５が係止フック６０から離脱し、ついで、突出部５１と受け部５２とが離れるにつれて、可動舌片５４は、前記磁石５９の磁力の作用を受けなくなる。このとき、突出部５１に対向する受け部５２のケース５８が可動舌片５４を突出部５１のケース５１内部へ押し戻すことによって、突出部５１と受け部５２との係合が円滑に解除される。
【００８４】
突出部５１は、前述のように、隣接する２枚の戸板１、２および２、３のそれぞれの対向面、および隣接する戸板３および壁Ｗの対向面の表面にネジ止めなどによって固着されている。一方、受け部５２は、当該隣接する２枚の戸板１、２および２、３のそれぞれの対向面、および隣接する戸板３および壁Ｗの対向面において、当該対向面を座ぐり加工などにより形成された凹所に埋め込まれ、ネジ止めなどにより固着される。そのため、これらの突出部５１および受け部５２は、取り付けが容易である。また、敷居と鴨居とのあいだで摺動する引き戸だけでなく、吊り戸タイプなどの種々の形態の引き戸に対応して利用することができる。しかも、戸板の対向面に突出部および受け部を後付けで容易に装着することができる。
【００８５】
本実施の形態の突出部５１および受け部５２は、図１７に示されるように、前記実施の形態と同様に、戸板１、２、３のそれぞれの対向面に取り付けられる。それにより、図１８に示される全開状態、すなわち戸板１、２、３が柱Ｐ１に沿って重なり合った状態から先頭の戸板１を閉めるだけで、まず戸板２に設けられた閉位置保持用の突出部５１ａの可動舌片５４の先端部５５が、受け部５２の前記磁石５９の吸引力により突出し、受け部５２の前記凹部５７内部において、係止フック６０の当接部６０ｂに当接するとともに爪部６０ａに一時的に係止することにより、戸板１と戸板２とが連結される。ついで、戸板１および戸板２を一体にして柱Ｐ２方向へ引っ張って閉めれば、前述と同様に戸板２と戸板３とのあいだが、戸板３の閉位置保持用の突出部５１ｂの可動舌片５４が戸板２の受け部５２の係止フック６０に係止されることによって、連結される。
【００８６】
さらに、戸板１、２、３を一体にして柱Ｐ２方向へ引っ張って閉めれば、最終的に戸板３と壁Ｗとのあいだが、壁Ｗの閉位置保持用の突出部５１ｃの可動舌片５４が戸板３の受け部５２に係合することによって、連結される。したがって、突出部５１（すなわち、図１７における閉位置保持用の突出部５１ａ、５１ｂ、５１ｃ）および受け部５２によって、図１７に示されるように、戸板１、２、３が全閉状態に保持される。なお、図示していないが、戸板１の表面に引き手を形成しておくと、戸の開閉を容易に行なうことができる。
【００８７】
引き戸を開ける場合、図１７に示される全閉状態から先頭の戸板１を開ければ、閉位置保持用の突出部５１ａと受け部５２の係合が解除される。このとき、可動舌片５４は係止フック６０による係止が解除されるとともに受け部５２の磁石５９からの磁力を受けなくなり、突出部５１ａに対向する受け部５２のケース５８によって押圧された可動舌片５４が突出部５１ａのケース５３内へ揺動して収納される。その結果、戸板１と戸板２とのあいだの連結が解除される。戸板１は、戸板２と非接触の状態で抵抗なく静かに摺動することができる。
【００８８】
戸板１を戸板２とほぼ完全に重なった位置まで摺動させ、ついで、戸板１および戸板２を両方同時に手で押して柱Ｐ１方向へ開ければ、前述と同様に戸板２の受け部５２と戸板３の突出部５１ｂとのあいだの連結が解除し、さらに、戸板１、２、３を一体に重なった状態で手で押して柱Ｐ１方向へ開ければ、同様に壁Ｗの突出部５１ｃと戸板３の受け部５２とのあいだの連結が解除し、最終的に図１８に示されるように、壁Ｗに沿って、戸板１、２、３が重なった状態で全開状態になる。
【００８９】
以上のように、戸板１、２、３を開閉するとき、突出部５１が受け部５２の磁石５９の磁力の影響を受けない距離まで移動したときに、可動舌片５４が受け部５２のケース５８によって押圧されることによってケース５３内部に収納されるため、戸板１、２、３を抵抗なく静かに摺動させて開閉させることができる。
【００９０】
なお、前述した実施の形態では、３本引きの引き戸を例にあげて説明したが、本発明はこれに限定されるものではなく、開口部に４板以上の戸板を配置してもよい。
【図面の簡単な説明】
【００９１】
【図１】本発明の連動引き戸の一実施の形態を示す斜視説明図である。
【図２】図１の連動引き戸の全閉状態における突出部および受け部の配置を簡略的に示す水平断面図である。
【図３】図１の連動引き戸を全開した状態を簡略的に示す水平断面図である。
【図４】図１の戸板の拡大斜視図である。
【図５】図４の突出部の平面図である。
【図６】図５のVI−VI線断面図である。
【図７】本発明の他の実施の形態である緩衝材を有する可動舌片の一部切欠正面図である。
【図８】図７の可動舌片の縦断面図である。
【図９】図４の受け部の平面図である。
【図１０】図９のＸ−Ｘ線断面図である。
【図１１】本発明の他の実施の形態である連動引き戸の全閉状態における突出部および受け部の配置を簡略的に示す水平断面図である。
【図１２】図１１の連動引き戸を全開した状態を簡略的に示す水平断面図である。
【図１３】図１１の突出部の断面説明図である。
【図１４】本発明のさらに他の実施の形態である緩衝材を有する可動ロッドの一部切欠正面図である。
【図１５】図１１の受け部の平面図である。
【図１６】図１５の受け部のXVI−XVI線断面図である。
【図１７】本発明のさらに他の実施の形態である連動引き戸の全閉状態における突出部および受け部の配置を簡略的に示す水平断面図である。
【図１８】図１７の連動引き戸を全開した状態を簡略的に示す水平断面図である。
【図１９】図１７の突出部の平面図である。
【図２０】図１９のXX−XX線断面図である。
【図２１】図１７の受け部の平面図である。
【図２２】図２１のXXII−XXII線断面図である。
【符号の説明】
【００９２】
１、２、３  戸板
１１、２８、５１  突出部
１２、２９、５２  受け部
２１、４１  緩衝部材
６０  係止フック
【図１】
2005090216.tif 000003
【図２】
2005090216.tif 000004
【図３】
2005090216.tif 000005
【図４】
2005090216.tif 000006
【図５】
2005090216.tif 000007
【図６】
2005090216.tif 000008
【図７】
2005090216.tif 000009
【図８】
2005090216.tif 000010
【図９】
2005090216.tif 000011
【図１０】
2005090216.tif 000012
【図１１】
2005090216.tif 000013
【図１２】
2005090216.tif 000014
【図１３】
2005090216.tif 000015
【図１４】
2005090216.tif 000016
【図１５】
2005090216.tif 000017
【図１６】
2005090216.tif 000018
【図１７】
2005090216.tif 000019
【図１８】
2005090216.tif 000020
【図１９】
2005090216.tif 000021
【図２０】
2005090216.tif 000022
【図２１】
2005090216.tif 000023
【図２２】
2005090216.tif 000024